(57)【要約】【課題】無人運転状態でも機密保持が可能なドキュメントシュレッダー装置を提供する。【解決手段】給紙部にドアラッチ付の蓋と紙センサを設け、電源がオンであって給紙部に紙がない場合にはロックを解除し、電源がオフ、又は、給紙部に紙がある場合はロックされていて解錠しないと蓋を開けることができないようにすることによって、シュレッダーの処理前と処理後は蓋を開けることができるが処理中は解錠しない限り蓋を開けることができないので、通常の使用状態においては鍵を使用しなくても無人運転を行うことができる。【選択図】図１
2008173595.tif 000002
【特許請求の範囲】
【請求項１】
シュレッダー処理する紙を載置した上で、該紙を外へ出せないように閉める蓋を有する紙収納部と、
該蓋を閉めると開かないようにラッチするラッチ機構と、
前記紙を破砕する紙破砕機構と、
前記紙収納部から前記紙破砕機構に前記紙を搬送する紙搬送機構と、
装置に電力を供給する電源と、
前記ラッチ機構をロックしてラッチが開放されないようにすると共に、解錠によって該ロックを解除するロック機構と
を備えることを特徴とするドキュメントシュレッダー装置。
【請求項２】
シュレッダー処理する紙を載置した上で、該紙に記録されている内容が外から見えないように、さらに、該紙を外へ出せないように閉める蓋を有する紙収納部と、
該蓋を閉めると開かないようにラッチするラッチ機構と、
前記紙を破砕する紙破砕機構と、
前記紙収納部から前記紙破砕機構に前記紙を搬送する紙搬送機構と、
前記紙収納部に前記紙が存在することを検知する紙検知スイッチと、
前記ラッチ機構をロックしてラッチが開放されないようにすると共に、解錠によって該ロックを解除するロック機構と、
装置に電力を供給する電源と、
解錠しなくても、前記電源がオン、かつ、前記紙検知スイッチが紙の存在を検知しない場合に、前記ロック機構のロックを解除し、解錠しないと、前記電源がオフ、又は、前期紙検知スイッチが紙の存在を検知する場合に、前記ロック機構のロックを維持する制御機能と
を備えることを特徴とするドキュメントシュレッダー装置。
【請求項３】
前記紙検知スイッチは、可動片を用いた機械式スイッチ又は可動片の機械的な動きを電気的信号に変換してなるスイッチであることを特徴とする請求項１記載のドキュメントシュレッダー装置。
【発明の詳細な説明】
【技術分野】
【０００１】
本発明は、ドキュメントシュレッダー装置、特に破砕前のドキュメントの機密を保てるので安心して無人運転ができるシュレッダー装置に関する。
【背景技術】
【０００２】
ドキュメントシュレッダー装置は専門家でなくても機密文書などを手軽に破砕処理できるので事務所などに設置して使用されている。ドキュメントシュレッダー装置の操作中に給紙部に置かれた破砕前の文書を抜き取られたりして機密が流出するのを防止するために給紙部に鍵を掛けることができるようにしたドキュメントシュレッダー装置が知られている（例えば、特許文献１参照。）。
【特許文献１】特開２００６−２２４０７８号公報
【発明の開示】
【発明が解決しようとする課題】
【０００３】
しかし、給紙部に鍵を掛けることができるようにしたドキュメントシュレッダー装置であっても、鍵を掛け忘れたときには給紙部を誰にでも開けられるという危険があるし、鍵がないと給紙部に紙を置くことができないため、１つの鍵を多くの人で使い回しするか、又は多くの人がスペアキーを所持することになり、いずれにしても機密流出の危険性が高い。
【０００４】
本発明は、上記問題点に鑑み、破砕処理中は給紙部が施錠されるが、破砕処理の前及び後は解錠されて自由に給紙部を開けることができ、かつ、破砕処理中に何からのトラブルが発生した場合などは解錠により給紙部を開けることができるようにして、通常の使用状態においては鍵がなくてもシュレッダー装置を使用することができるため、無人運転状態でも機密保持性が高いドキュメントシュレッダー装置を提供することを目的とする。
【課題を解決するための手段】
【０００５】
上記目的を達成するため、請求項１に記載した本発明のドキュメントシュレッダー装置は、シュレッダー処理する紙を載置した上で、該紙を外へ出せないように閉める蓋を有する紙収納部と、該蓋を閉めると開かないようにラッチするラッチ機構と、前記紙を破砕する紙破砕機構と、前記紙収納部から前記紙破砕機構に前記紙を搬送する紙搬送機構と、装置に電力を供給する電源と、前記ラッチ機構をロックしてラッチが開放されないようにすると共に、解錠によって該ロックを解除するロック機構とを備えることを特徴とする。
【０００６】
請求項２に記載した本発明のドキュメントシュレッダー装置は、シュレッダー処理する紙を載置した上で、該紙に記録されている内容が外から見えないように、さらに、該紙を外へ出せないように閉める蓋を有する紙収納部と、該蓋を閉めると開かないようにラッチするラッチ機構と、前記紙を破砕する紙破砕機構と、前記紙収納部から前記紙破砕機構に前記紙を搬送する紙搬送機構と、前記紙収納部に前記紙が存在することを検知する紙検知スイッチと、前記ラッチ機構をロックしてラッチが開放されないようにすると共に、解錠によって該ロックを解除するロック機構と、装置に電力を供給する電源と、解錠しなくても、前記電源がオン、かつ、前記紙検知スイッチが紙の存在を検知しない場合に、前記ロック機構のロックを解除し、解錠しないと、前記電源がオフ、又は、前期紙検知スイッチが紙の存在を検知する場合に、前記ロック機構のロックを維持する制御機能とを備えることを特徴とする。
【０００７】
また、請求項３に記載した本発明のドキュメントシュレッダー装置は、前記紙検知スイッチは、可動片を用いた機械式スイッチ又は可動片の機械的な動きを電気的信号に変換してなるスイッチであることを特徴とする。
【発明の効果】
【０００８】
請求項１に記載した本発明のドキュメントシュレッダー装置によれば、紙収納部に蓋を設けるとともに、該蓋を閉めると解錠しないと開かないようにしているので、機密事項を記載した紙を外部に取り出すことが出来ないので、人が付き添っていなくても機密が漏洩する心配がなくなり、安心して無人運転ができる。
【０００９】
請求項２に記載した本発明のドキュメントシュレッダー装置によれば、紙収納部に未処理の紙が残っている限り、解錠操作しないと紙収納部の蓋を開けることができないが、処理の前及び後はロックが解除されるので、通常の使用状態においては鍵を必要とせず、人が付き添っていなくても機密が漏洩する心配がなくなり、安心して無人運転ができる。
【００１０】
また、請求項３に記載した本発明のドキュメントシュレッダー装置によれば、給紙部に溜まった紙粉やゴミなどの異物による誤検出を防ぐことができ、ドキュメントシュレッダー装置を長時間安定に使用することができる。
【発明を実施するための最良の形態】
【００１１】
以下、添付図面を参照しながら本発明を実施するための最良の形態について詳細に説明する。
【実施例１】
【００１２】
図１は、本発明の一実施例によるドキュメントシュレッダー装置の構成を示す図である。本実施例のドキュメントシュレッダー装置は、給紙部１、破砕部２、蓄紙部３により構成されている。
【００１３】
給紙部１は、ヒンジ１０、蓋１１、給紙ローラ１２、ドアラッチ１３、分離ローラ１４、紙センサ１５、及びドアセンサ１６から構成されている。
【００１４】
給紙部１にはヒンジ１０を回転中心とする蓋１１が設けられており、蓋１１に取り付けられた把手６を持って人が手操作することにより図１中の実線で示した閉の位置から図１中の点線で示した開の位置１１ａまで開閉して破砕前の紙４を載置することができる。ドアセンサ１６は蓋１１が閉じられて所定の位置にあるか否かを検出する。
【００１５】
紙センサ１５は、給紙部１内の所定の位置に破砕前紙４が載置されたことを検知する。給紙ローラ１２と分離ローラ１４は連動して破砕前紙４を破砕部２に送出する。
【００１６】
破砕部２は、導紙ローラ２１と破砕刃２２、制御機能２３からなる。後述する破砕動作において、給紙部１から送出される紙４を導紙ローラ２１は破砕刃２２に導き、破砕刃２２で破砕する。
【００１７】
蓄紙部３は破砕部２で破砕された紙４４を蓄積する。
【００１８】
制御機能２３は電気回路であり、上記給紙部１、破砕部２、蓄紙部３に不図示の配線により接続されており、後述の図２、図３を用いて説明する本実施例によるドキュメントシュレッダー装置の制御を行う。
【００１９】
以下、図２、図３を用いて、本実施例によるドキュメントシュレッダー装置の動作を詳細に説明する。
【００２０】
図２は、本実施例によるドキュメントシュレッダー装置の操作部の構成を示す図である。操作パネル５には電源スイッチ５１、開始スイッチ５２、鍵付スイッチ５３が配置されており、不図示の配線により制御機能２３と接続されている。
【００２１】
図３は、本実施例によるドキュメントシュレッダー装置の制御機能の制御動作を説明するフローチャートである。電源スイッチ５１を投入すると、本実施例によるドキュメントシュレッダー装置に電源が投入され、図３のフローチャートの手順が開始される。ドアラッチロックステップＳ１は、不図示の回路配線に電力を供給してドアラッチ１３をロックして把手６の操作による蓋１１の開閉を不可能とし、手操作による紙４の出し入れができないようにする。ドアラッチ１３は、例えばソレノイドの先端に金属棒を装着して可動可能にしたものを給紙部１に固着し、非通電状態で蓋１１を閉めると、金属棒は、蓋１１に開けた穴に貫通状態になってロックされ、ソレノイド通電によって、この金属棒が引き抜かれて解錠されるようにすればよい。
【００２２】
電源オン判断ステップＳ２は上記の電源がオンされていることを確認するとともに、必要に応じて給紙部１、破砕部２、蓄紙部３のイニシャライズ動作を行う。このイニシャライズ動作が終了していない間は、電源オン判断ステップＳ２はＮＯ側を選択してドアラッチロックステップＳ１の先頭に戻ってドアラッチロックステップＳ１、電源オン判断ステップＳ２をループ状に繰り返し、このイニシャライズ動作が終了した時点で電源オン判断ステップＳ２はＹＥＳ側を選択する。
【００２３】
紙有り判断ステップＳ３は、紙センサ１５により紙４の有無を監視し、紙４が検知される場合はＹＥＳ側を選択してドアラッチロックステップＳ１の先頭に戻るが、紙４が検知されない場合は、ＮＯ側を選択してドアラッッチ解除ステップＳ４によりドアラッチ１３を解除して蓋１１の手操作による開閉ができるようにする。
【００２４】
紙有り判断ステップＳ５は、紙センサ１５により紙４の有無を監視し、ロックが解除されドアが開けられて、破砕前の紙４が載置されるまではＮＯ側を選択して紙有り判断ステップＳ５をループ状に実行しているが、紙４を検知するとＹＥＳ側を選択してドアラッチロックステップＳ６によりドアラッチ１３をロックして蓋１１を手操作による閉めると開かないようにする。
【００２５】
開始スイッチオン判断ステップＳ７は開始スイッチ５２の状態を監視しており、開始スイッチがオンされるまではＮＯ側を選択して開始スイッチオン判断ステップＳ７をループ状に実行しているが、開始スイッチがオンされたことを検知するとＹＥＳ側を選択して破砕開始ステップＳ８を実行する。
【００２６】
破砕開始ステップＳ８により破砕動作を開始する。この破砕動作の間、紙センサ１５は給紙部１内の所定の位置に破砕前紙４が載置されていることを検知して確認し、給紙ローラ１２と分離ローラ１４により破砕前紙４を破砕部２に送出する。破砕部２において、導紙ローラ２１は給紙部１から送出される紙４を破砕刃２２に導き、破砕刃２２は紙４を破砕する。蓄紙部３は、破砕部２で破砕された紙４４を蓄積する。
【００２７】
この破砕動作は、鍵解除判断ステップＳ９のＮＯ側、紙有り判断ステップＳ１０のＹＥＳ側をループ状に実行しており、給紙ローラ１２と分離ローら１４がすべての紙４を破砕部２に送出したことを紙センサ１５が検知して紙有り判断ステップＳ１０がＮＯ側を選択して破砕停止ステップＳ１１により上記破砕動作が停止するまで継続する。
【００２８】
破砕停止ステップＳ１１で破砕動作を停止させた後、ラッチ解除ステップＳ１２によりドアラッチ１３を解除して破砕動作を終了する。
【００２９】
上記破砕動作中に紙４を追加したり取り出したりという手操作をしたい場合、操作パネル５の鍵付スイッチ５３に不図示の鍵を用いて鍵解除操作すると、鍵解除判断ステップＳ９がこれを検知してＹＥＳ側を選択し、破砕停止ステップＳ１１で破砕動作を停止させ、ラッチ解除ステップＳ１２によりドアラッチ１３を解除する。
【００３０】
以上、詳細に説明したように、本発明によるドキュメントシュレッダー装置は、紙４を給紙部１に入れると、鍵付スイッチ５３の鍵をいれてドアラッチ１３を解除しない限り、紙４が給紙部１にある間はドアラッチ１３がロックしているので紙４を取り出すことができないので、無人運転状態でも機密保持が可能である。
【００３１】
なお、本発明は上記実施例に限定されるものではない。
【００３２】
上記実施例では電源がオフの時にはドアラッチがロックされて蓋を開けることはできないが、このドアラッチを、電源がオンの時にはラッチ状態を変更できるが電源がオフの時にはラッチ状態を維持するラッチソレノイドとすることもできる。これによると、破砕処理が終了して紙がなくなりラッチが解除された後、電源をオフにしてもラッチは解除されたままなので、電源がオフのまま蓋を開けて紙を載置することができる。その後、電源をオンにすると紙の存在を検知してラッチはロックされ、破砕処理を開始した後に操作者はその場を離れることができる。
【００３３】
紙センサ１５は紙４が一枚でも存在すればその存在を検知できるものであれば、光センサによる光学的方式、マイクロスイッチや可動片の動作を光や可動片に付けられた金属片が生ずる渦電流などの変化として捉える機械的方式などのいずれか、あるいはこれらとは別の方式でも良いが、上記のうちの機械的方式は溜まった紙粉やゴミなどの異物による誤検出を防ぐことができるので、特に有効である。光学式方式の場合には、反射光の有無を検出する反射型と、透過光の有無を検出する透過型のいずれでも良い。反射型の場合、紙搬送面の一部を透明にして下から検出すると良い。これにより、ゴミである紙片の存在によって誤り検出することを避けることができる。また、いずれの場合でも紙センサ１５の配置位置は分離ローラ１４の近くが望ましい。なぜなら、分離ローラ１４の近くは分離ローラ１４のために紙が踊ってしまう範囲が小さくなり誤り検出しにくくなるからである。
【００３４】
また、図２に示した鍵付スイッチ５３と不図示の鍵は、機械的な鍵と鍵付スイッチでも良いが、例えば磁気カードやＩＣカードのような電気的なものでも良く、上記ＩＣカードは使用履歴などが記録できるので特に有効である。
【００３５】
なお、本発明によるドキュメントシュレッダー装置は、紙を回転刃で細かく切り刻むいわゆる裁断方式、くし歯状の歯で紙を引き千切るいわゆるひきちぎり方式のいずれにも有効であるが、ひきちぎり方式は粉砕後の紙４４を蓄紙部３で固め処理することができるので給紙部１に収納できる紙４の量が多く、それだけ一度の粉砕処理時間も長くできるので、粉砕運転中に急な用件や勤務時間の有効活用などで操作者がその場を離れても機密漏えいの心配せずに無人運転できる本発明によるドキュメントシュレッダー装置が特に有効である。
【図面の簡単な説明】
【００３６】
【図１】本発明の実施例によるドキュメントシュレッダー装置の構成図である。
【図２】本発明の実施例によるドキュメントシュレッダー装置の操作部の構成を示す図である。
【図３】本発明の実施例によるドキュメントシュレッダー装置の制御機能の制御動作を説明するフローチャートである。
【符号の説明】
【００３７】
１      給紙部
２      破砕部
３      蓄紙部
４      破砕前紙
５      操作パネル
６      把手
１１    蓋
１２    給紙ローラ
１３    ドアラッチ
１４    分離ローラ
１５    紙センサ
１６    ドアセンサ
２３    制御機能
５１    電源スイッチ
５２    開始スイッチ
５３    鍵付スイッチ
【図１】
2008173595.tif 000003
【図２】
2008173595.tif 000004
【図３】
2008173595.tif 000005